(57)【要約】【課題】搬送路のスキャナが設置された領域で、紙詰まりを起こしても、用意に紙詰まりを解消できる画像読取装置を提供する。【解決手段】外側の搬送壁３ａ側に設置されて、第1又は第２の読取媒体２、１５の一方の面の画像を読み取る第1のスキャナ５と、内側の搬送壁３ｂ側の第1のスキャナ５と対向する位置に設置されて、第1又は第２の読取媒体２、１５を第1のスキャナ５の読取面に押し付ける第1の押付装置６と、内側の搬送壁３ｂ側に設置されて、第1又は第２の読取媒体２、１５のもう一方の面の画像を読み取る第２のスキャナ７と、外側の搬送壁３ａ側の第２のスキャナ７と対向する位置に設置されて、第1又は第２の読取媒体２、１５を第２のスキャナ７の読取面に押し付ける第２の押付装置８と、を備え、第1のスキャナ５と第２の押付装置８が、回転継手によって開閉可能な搬送路の開閉壁に取り付けられている画像読取装置を提供する。【選択図】図１
2010035235.tif 000002
【特許請求の範囲】
【請求項１】
第1の読取媒体を搬送するU字型の搬送路と、前記搬送路上を搬送される前記第1の読取媒体の画像を読み取る1又は2以上のスキャナとを備え、前記搬送路の前記スキャナが設置された領域において、前記搬送路を開放する開閉機構を備えたことを特徴とする画像読取装置。
【請求項２】
前記スキャナと前記開閉機構が設置された領域を含む前記搬送路の直線部分と、該直線部分に直線をなすように接続された直線搬送路とを有し、折り曲げることが困難な第２の読取媒体を搬送して、前記スキャナで前記第２の読取媒体の画像を読み取る第２の搬送路を更に備えたことを特徴とする請求項１に記載の画像読取装置。
【請求項３】
前記搬送路は、搬送される前記第1又は第２の読取媒体を両側からガイドする外側の搬送壁と内側の搬送壁とを備え、前記開閉機構が、前記外側又は内側の搬送壁のうちの少なくとも１つの搬送壁に、開閉可能な開閉壁を有することを特徴とする請求項１又は２に記載の画像読取装置。
【請求項４】
前記開閉壁が、回転継手によって画像読取装置本体に取り付けられ、該回転継手を中心に回転して開閉することを特徴とする請求項３に記載の画像読取装置。
【請求項５】
前記開閉壁に、前記スキャナ、前記スキャナの読取面に前記第1又は第２の読取媒体を押し付ける押付装置、又は、前記スキャナと前記押付装置の双方が取り付けられたことを特徴とする請求項１から４の何れか1項に記載の画像読取装置。
【請求項６】
前記搬送路が開放された状態であっても、前記第1又は第２の読取媒体を搬送する搬送ローラの少なくとも１つが、前記第1又は第２の読取媒体を保持していることを特徴とする請求項１から５の何れか1項に記載の画像読取装置。
【請求項７】
前記外側の搬送壁側に設置されて、前記第1又は第２の読取媒体の片側の面の画像を読み取る第1のスキャナと、前記内側の搬送壁側の前記第1のスキャナと対向する位置に設置されて、前記第1又は第２の読取媒体を前記第1のスキャナの読取面に押し付ける第1の押付装置と、前記内側の搬送壁側に設置されて、前記第1又は第２の読取媒体のもう一方の面の画像を読み取る第２のスキャナと、前記外側の搬送壁側の前記第２のスキャナと対向する位置に設置されて、前記第1又は第２の読取媒体を前記第２のスキャナの読取面に押し付ける第２の押付装置と、を備え、前記第1のスキャナと前記第２の押付装置が、前記開閉壁に取り付けられていることを特徴とする請求項３から６の何れか1項に記載の画像読取装置。
【発明の詳細な説明】
【技術分野】
【０００１】
本発明は、搬送路に設置されたスキャナによって、読取媒体を搬送しながらその画像データを読み取る画像読み取り装置において、搬送路の一部を開放状態にできる搬送路の開閉機構に関する。
【背景技術】
【０００２】
現在、銀行等における小切手の処理作業の効率化のため、小切手に記載された情報を電磁的に読み取ってオンラインで処理する試みが始められている。このため、小切手のような折り曲げることが可能な読取媒体を、Ｕ字型の搬送路上を搬送しながら、スキャナでその画像を読み取る画像読取装置が用いられるようになっている。Ｕ字型の搬送路を用いる場合には、搬送路の入口と出口を隣接させることができるので、作業者が席を立つことなく、容易に読取媒体を画像読取装置に挿入して取り出すことができるという利点がある。
【０００３】
図５は、従来型のＵ字型の搬送路を有する画像読取装置の一例を示す斜視図である。画像読取装置１０１は、Ｕ字型の搬送路１０３と、搬送路１０３に設置されたスキャナを有するスキャナ部１０４とを備え、読取媒体１０２が搬送路１０３上を搬送される間に、スキャナ部１０４のスキャナによって、読取媒体１０２の画像が読み取られる。図示されていないが、搬送路１０３には、読取媒体１０２の長さ応じた所定の間隔を隔てて、読取媒体１０２を搬送する搬送ローラが設置されている。
【発明の概要】
【発明が解決しようとする課題】
【０００４】
図５に示される画像読取装置１０１に用いられるスキャナは、搬送される読取媒体のうち、最大の高さを有する読取媒体１０２の全高Ｋの範囲を読み取る必要がある。従って、スキャナの高さは、この読取媒体１０２の最大高さＫよりも高くなり、また、スキャナの読取面と対向する位置には、読取媒体１０２をスキャナの読取面に押し付ける押付装置を備える必要があり、この押付装置の高さも、読取媒体１０２の最大高さＫよりも高くなる。
【０００５】
従って、図５に示されるように、搬送路の両側にスキャナと押付装置を有するスキャナ部１０４は、搬送される読取媒体１０２より高く、読取媒体１０２を両側から覆うような形となる。従って、もし、このスキャナ部１０４において、読取媒体１０２に紙詰まりが発生した場合には、内部にアクセスすることができないので、詰まった部分を取り除くことは非常に困難である。多くの場合には、専用の作業員を呼んでスキャナ部１０４を分解して、詰まった読取媒体１０２を取り除く必要がある。
【０００６】
また、紙詰まりが発生しない場合でも、スキャナの読取面が汚れた場合にも、分解しない限り、容易に汚れをクリーニングすることはできない。
【０００７】
従って、本発明の目的は、上述した従来の問題を解決して、分解をしなくても、容易に詰まった読取媒体を取り除き、また、スキャナをクリーニングすることができる画像読取装置を提供することにある。
【課題を解決するための手段】
【０００８】
上記の目的を達成するため、本発明の画像読取装置の第１の実施態様は、第1の読取媒体を搬送するU字型の搬送路と、搬送路上を搬送される第1の読取媒体の画像を読み取る1又は2以上のスキャナとを備え、搬送路のスキャナが設置された領域において、搬送路を開放する開閉機構を備えたことを特徴とする。
【０００９】
搬送路のスキャナが設置された領域では、仮に、読取媒体の紙詰まりが発生しても、内部にアクセスできないために、紙詰まりを解消するのは困難である。しかし、本実施態様のように、搬送路を開放できれば、内部にアクセス可能となり、容易に紙詰まりを起こした部分を取り除くことができる。
【００１０】
本発明の画像読取装置の他の実施態様は、スキャナと開閉機構が設置された領域を含む搬送路の直線部分と、直線部分に直線をなすように接続された直線搬送路とを有し、折り曲げることが困難な第２の読取媒体を搬送して、スキャナで第２の読取媒体の画像を読み取る第２の搬送路を更に備えたことを特徴とする。
【００１１】
本実施形態では、小切手のような折り曲げることが可能な読取媒体だけでなく、免許証やカードのような折り曲げることが困難な読取媒体の画像を読み取ることができる。
【００１２】
本発明の画像読取装置の他の実施態様は、搬送路は、搬送される第1又は第２の読取媒体を両側からガイドする外側の搬送壁と内側の搬送壁とを備え、開閉機構が、外側又は内側の搬送壁のうちの少なくとも１つの搬送壁に、開閉可能な開閉壁を有することを特徴とする。
【００１３】
本発明の画像読取装置の他の実施態様は、開閉壁が、回転継手によって画像読取装置本体に取り付けられ、回転継手を中心として回転して開閉することを特徴とする。
【００１４】
本実施態様のように、開閉壁が回転継手を中心に回転することによって、簡単な構造で、搬送路を開放すことができる。
【００１５】
本発明の画像読取装置の他の実施態様は、開閉壁に、スキャナ、スキャナの読取面に第1又は第２の読取媒体を押し付ける押付装置、又は、スキャナと押付装置の双方が取り付けられたことを特徴とする。
【００１６】
本発明の画像読取装置の他の実施態様は、搬送路が開放された状態であっても、第1又は第２の読取媒体を搬送する搬送ローラの少なくとも１つが、第1又は第２の読取媒体を保持していることを特徴とする。
【００１７】
本実施態様によれば、搬送路が開放状態であっても、搬送中の読取媒体が落下して損傷することを防ぐことができる。
【００１８】
本発明の画像読取装置の他の実施態様は、外側の搬送壁側に設置されて、第1又は第２の読取媒体の片側の面の画像を読み取る第1のスキャナと、内側の搬送壁側の第1のスキャナと対向する位置に設置されて、第1又は第２の読取媒体を第1のスキャナの読取面に押し付ける第1の押付装置と、内側の搬送壁側に設置されて、第1又は第２の読取媒体のもう一方の面の画像を読み取る第２のスキャナと、外側の搬送壁側の第２のスキャナと対向する位置に設置されて、第1又は第２の読取媒体を第２のスキャナの読取面に押し付ける第２の押付装置とを備え、第1のスキャナと第２の押付装置が、開閉壁に取り付けられていることを特徴とする。
【００１９】
本実施態様では、２つのスキャナによって読取媒体の両面の画像を読み取ることが可能であり、また、簡単な構造で搬送路を開放することができる。
【発明の効果】
【００２０】
本発明の画像読取装置によれば、搬送路のスキャナが設置された領域で、読取媒体の紙詰まりが発生した場合でも、搬送路に備えられた開閉機構により、搬送路を開放することができるので、詰まった読取媒体を容易に取り除くことができる。
【００２１】
また、スキャナの読取面の汚れが発生した場合にも、搬送路に備えられた開閉機構により、搬送路を開放することができるので、容易に読取面のクリーニングを行うことができる。
【００２２】
開閉機構として、回転継手を中心に回転して開閉する開閉壁を備えた場合には、簡単な構造で搬送路を開放すことが可能であり、操作性、保守性においても優れている。
【図面の簡単な説明】
【００２３】
【図１】（ａ）は画像読取装置を模式的に表した平面図であり、（ｂ）は、（ａ）の矢印Ｆから見た搬送路の断面図である。
【図２】図１（ａ）の矢印Ｊから見た斜視図であり、開閉機構が閉じられた状態を示す。
【図３】図１（ａ）の矢印Ｊから見た斜視図であり、開閉機構が開かれた状態を示す。
【図４】開閉機構を構成する部材を示した分解斜視図である。
【図５】従来のＵ字型の搬送路を有する画像読取装置の一例を示す斜視図である。
【発明を実施するための形態】
【００２４】
次に、図面を参照しながら、本発明を実施するための最良の形態を説明する。
【００２５】
（本発明の画像読取装置全体）
初めに、本発明の開閉機構を有する画像読取装置の実施形態全体の説明を、図１を用いながら行う。図１(a)は、この画像読取装置１を模式的な表した平面図であり、図１（ｂ）は、図１（ａ）の矢印Ｆから見た搬送路３の断面図である。
【００２６】
図１（ａ）に示されるように、本発明の画像読取装置１は、第１の読取媒体２を搬送するＵ字型の搬送路３を備え、搬送路３の２つの曲線搬送路に挟まれた直線部分（中間の直線搬送路Ｄと称する。）には、第１の読取媒体２の両面の画像を読み取る第１のスキャナ５と第２のスキャナ７が設置されている。更に、直線搬送路４が、この中間の直線搬送路Ｄと直線をなすように接続されており、第２の搬送路を構成している。この第２の搬送路において、第２の読取媒体１５を直線的に搬送して、第１のスキャナ５と第２のスキャナ７によって両面の画像を読み取ることができる。
【００２７】
ここで、Ｕ字型の搬送路３を搬送される第１の読取媒体２は、小切手等の折り曲げることができる材質でできており、第２の搬送路を搬送される第２の読取媒体１５は、主に免許証やカード等の折り曲げることが困難な材質でできている。ただし、折り曲げることの可能な材質の読取媒体を、第２の搬送路を搬送させることは可能である。
【００２８】
Ｕ字型の搬送路３には、搬送される読取媒体を両側からガイドする搬送壁３ａ，３ｂが備えられており、Ｕ字型の搬送路３を上から見て、外周側の搬送路を外側の搬送壁３ａと称し、内週側の搬送路を内側の搬送壁３ｂと称する。また、Ｕ字型の搬送路３と直線搬送路４には、読取媒体の長さに応じた所定の間隔を隔てて、読取媒体を搬送する搬送ローラ（第１搬送ローラ９等）が設置されている。Ｕ字型の搬送路３と第２の搬送路の共有部分である中間の直線搬送路Ｄには、第１のスキャナ５と第２のスキャナ７の他に、第１の読取媒体２に記載された磁気インクを読み取るＭＩＣＲ（Magnetic Ink Character Reader）１６が設置されている。
（Ｕ字型の搬送路）
まず、Ｕ字型の搬送路３について、更に詳細に説明する。搬送路３は、図１（ｂ）に示されるように、外側の搬送壁３ａと内側の搬送壁３ｂとを備え、この２つの搬送壁の間の搬送空間３ｃ内を、第１の読取媒体２が搬送されるようになっている。
【００２９】
図１（ａ）の平面図において、第１の読取媒体２は矢印Ａの方向から搬送路３の入口側の直線搬送路Ｃへ挿入される。入口側の直線搬送路Ｃにおける外側の搬送壁３ａと内側の搬送壁３ｂの高さは、第１の読取媒体２よりも低く（図１（ｂ）参照。）、仮に紙詰まりが生じても、容易に第１の読取媒体２を取り出すことができる。
【００３０】
入口側の直線搬送路Ｃにある第１検出器１３が、挿入された第１の読取媒体２の先端部を検出すると、第１搬送ローラ９を始めとする搬送ローラが回転を始める。第１搬送ローラ９は、駆動モータ(図示されていない)の駆動力が伝達される駆動ローラ９ａと、第１の読取媒体２を駆動ローラ９ａに押し付ける押さえローラ９ｂから構成され、第１の読取媒体２が両ローラの間に挟み込まれて搬送される。第１の読取媒体２は、この第１搬送ローラ９によって、入口側の直線搬送路Ｃから、曲線搬送路を経て、中間の直線搬送路Ｄに送られる。
【００３１】
ここで、曲線搬送路に設置された第２検出器１４が、第１の読取媒体２の先端部を検出すると、第１のスキャナ５、第２のスキャナ７、及び、ＭＩＣＲ１６の電源が入るようになっている。そして、第１の読取媒体２がこの中間の直線搬送路Ｄを通過する間に、第１のスキャナ５、第２のスキャナ７、及び、ＭＩＣＲ１６によって、両面の画像と磁気インクの情報が読み取られる。
【００３２】
第１の読取媒体２は、更に、第２搬送ローラ１０に挟みこまれて搬送される。第２搬送ローラ１０は、第１搬送ローラ９と同様に、駆動モータの駆動力が伝達される駆動ローラ１０ａと、押さえローラ１０ｂからなる。第１の読取媒体２は、この第２搬送ローラ１０によって、中間の直線搬送路Ｄから、曲線搬送路を経て、出口側の直線搬送路Ｅは送られる。
【００３３】
第１の読取媒体２は、Ｕ字型の搬送路３の２箇所の曲線部分を通過することによって搬送方向が１８０度変更されて、出口側の搬送路Ｅ上を、入口側の搬送路Ｃとちょうど反対方向に搬送される。そして、排出ローラ１１に挟み込まれて、矢印Ｂの方向に排出される。排出ローラ１１は、第１搬送ローラ９と同様に、駆動モータの駆動力が伝達される駆動ローラ１１ａと、押さえローラ１１ｂからなる。
（画像読み取り）
次に、画像の読み取りについて更に詳しく説明する。第１のスキャナ５は、外側の搬送壁３ａ側に設置されており、その対向する位置の内側の搬送壁３ｂ側には、第１の押付装置６が設置されている。第１の押付装置６に設けられた押付ローラ６ａによって、搬送される第１の読取媒体２が第１のスキャナ５の読取面に押し付けられるようになっており、第１の読取媒体２が第１のスキャナ５を通過するときに、第１の読取媒体２の片側の面の画像が読み取られる。
【００３４】
第２のスキャナ７は、内側の搬送壁３ｂ側の第１の押付装置の隣に設置されており、第２の外側の搬送壁３ａ側のその対向する位置には、第２の押付装置８が設置されている。第２の押付装置８に設けられた押付ローラ８ａによって、搬送される第１の読取媒体２が第２のスキャナ７の読み取り面に押し付けられるようになっており、第１の読取媒体２が第２のスキャナ７を通過するときに、第１の読取媒体２のもう一方の面の画像が読み取られる。
【００３５】
この第１のスキャナ５と第２のスキャナ７は、搬送される第１の読取媒体２のうち、最も高さが高い読取媒体の全高範囲の画像を読み取る必要があるため、装置の高さはそれよりも高くなる。また、第１の押付装置６と第２の押付装置８も、同様に、読取媒体の最大高さよりも高くなる。従って、第１のスキャナ５と第２の押付装置８が設置された外側の搬送壁３ａ、及び、第２のスキャナ７と第１の押付装置６が設置された内側の搬送壁３ｂの高さは、常に第１の読取媒体２よりも高い。（図２参照。）
よって、第１のスキャナ５と第２のスキャナ７が設置された中間の搬送路Ｄを通過する第１の読取媒体２は、外側の搬送壁３ａと内側の搬送壁３ｂによって、両側を覆われる形になる。仮に、この位置で第１の読取媒体２に紙詰まりが発生した場合には、そのままの状態では内部にアクセスすることができないので、紙詰まりを修復することは困難である。
【００３６】
従って、この問題を解消するために、下記に詳細を説明するように、本実施形態では、搬送路の一部を開放することができる開閉機構が備えられている。
【００３７】
また、第２搬送ローラ１０の下側には、第１の読取媒体２に記載された磁気インクの情報を読み取るＭＩＣＲ１６が設置されており、第１の読取媒体２がＭＩＣＲ１６を通過するときに読み取られる。また、ＭＩＣＲ１６の読み取りのために、第１の読取媒体２を磁化させる磁石１７が、第１押さえ装置６の脇に設置されている。
【００３８】
以上のように、矢印ＡからＵ字型の搬送路３に挿入された第１の読取媒体２は、搬送されながら、第１のスキャナ５と第２のスキャナ７でその両面の画像が読み取られ、ＭＩＣＲ１６で磁気インクの情報が読み取られて、１８０度搬送方向を変えて、矢印Ｂから排出される。
（第２の搬送路）
次に、第２の読取媒体１５の画像を読み取るための、第２の搬送路の説明を行う。
【００３９】
本実施形態には、中間の直線搬送路Ｄと直線をなすように直線搬送路４が接続されている。この直線搬送路４は、外側の搬送壁４ａと内側の搬送壁４ｂの間に設けられた搬送空間４ｃ内を、第２の読取媒体１５が搬送されるようになっている。中間の直線搬送路Ｄは、第１及び第２の読取媒体２、１５の画像の読み取りのために共用されている。また、第２の読取媒体１５の高さは、第１の読取媒体２よりも小さく、搬送路の上半分のみが用いられる。しかし、第１の読取媒体２と同様に、第１のスキャナ５と第２のスキャナ７が設置された中間の搬送路Ｄを通過する第２の読取媒体１５は、外側の搬送壁３ａと内側の搬送壁３ｂによって、両側を覆われる形になる。
【００４０】
第２の読取媒体１５は、矢印Ｇの方向から、直線搬送路４へ挿入される。第３検出器１８が第２の読取媒体１５の先端部を検出すると、直線搬送ローラ１２を始めとする搬送ローラが回転を始める。直線搬送ローラ１２は、他の搬送ローラと同様に、駆動モータの駆動力が伝達される駆動ローラ１２ａと押さえローラ１２ｂから構成される。
【００４１】
第２の読取媒体１５は、直線搬送ローラ１２によって搬送され、中間の搬送路Ｄへ送られる。そして、更に、第２搬送ローラ１０に挟みこまれて搬送され、第２の読取媒体１５の後端が、第２のスキャナ７から外れる位置に達するまで搬送されて、そこで停止する。
【００４２】
そして、今度は逆向きに搬送されて、第２のスキャナ７と第１のスキャナ５を通過するときに両面の画像が読み取られ、挿入された元の位置から矢印Ｈの方向に排出される。
【００４３】
（本発明の搬送路の開閉機構についての説明）
次に、本発明に係る搬送路の開閉機構２０の実施形態を、図２、図３、及び、図４を用いながら詳細に説明する。図２は、図１（ａ）の矢印Ｊから見た斜視図であり、開閉機構２０が閉じられた状態を示す。図３は、図１（ａ）の矢印Ｊから見た斜視図であり、開閉機構２０が開かれた状態を示す。また、図４は、開閉機構２０を構成する部材を示した分解斜視図である。
【００４４】
図２に示されるように、第１のスキャナ５と第２のスキャナ７が設置される位置の搬送路の搬送壁は、搬送される第１の読取媒体２の高さＫ、及び、第２の読取媒体１５の高さＬよりも高いので、もし、紙詰まりが発生しても、内部にアクセスして詰まった部分を取り出すことは困難である。
【００４５】
従って、本実施形態の開閉機構２０においては、図３に示されるように、搬送路３の外側の搬送壁３ａ側に開閉可能な開閉壁２１を有している。外側の搬送壁３ａの開閉壁２１が開かれた場合には、搬送路が解放されるので、詰まった読取媒体２、１５を容易に取り出すことができるようになっている。
【００４６】
この開閉機構２０は、図４に示されるような部材で構成される。外側の搬送壁３ａの一部を構成する開閉壁２１に、第１のスキャナ５と、第２の押付装置８が取り付けられている。そして、開閉壁２１の下部には、回転軸受（穴部）２１ｂが設けられており、回転軸２１ａによって、画像読取装置本体に取り付けられている。これにより回転継手を構成しており、開閉壁２１は、この回転軸２１ａを中心に回転して開閉することができる。開閉壁２１が閉じられると、ちょうど第１のスキャナ５が第１の押付装置６と対向し、第２の押付装置８が第２のスキャナ７と対向するような位置に配置されている。
【００４７】
また、開閉壁２１の上部には、レバー用軸受（穴部）２１ｃが設けられており、レバー２２にも軸受（穴部）２２ｂが設けられており、回転軸２２ａによって、レバー２２は開閉壁２１に取り付けられている。従って、レバー２２は回転軸２２ａを中心に回転可能となっており、開閉壁２１が閉じられた状態では、レバー２２を回転させて、その先端の爪部２２ｃを画像読取装置本体側に設けられたピン（図示されていない）に引っ掛けることによって、閉じられた開閉壁２１をロックすることができる。また、開閉壁２１を開ける場合には、レバー２２を逆向きに回転させることによってロックを解除して、開閉壁２１を回転させて開けることができる。なお、符号２２ｄは、回転軸２２ａを、軸受２１ｃに固定するための留金である。
【００４８】
開閉壁２１には、シート５ｃを介して、第１のスキャナ本体５ａが開閉壁２１に設置され、その上からカバー開閉壁５ｂが取り付けられ、ピン５ｄによって開閉壁２１に固定される。以上により、第１のスキャナ５が開閉壁２１に取り付けられた状態になる。
【００４９】
また、第１のスキャナ５が取り付けられた位置の隣の上側と下側の２箇所に設けられた２つの固定ブラケット８ｄに、回転軸８ｅによって、それぞれ、可動ブラケット８ｃが取り付けられる。この上側の固定ブラケット８ｄに取り付けられた可動ブラケット８ｃには、ローラ８ａが回転可能な状態で取り付けられる。また、同様に、下側の固定ブラケット８ｄに取り付けられた可動ブラケット８ｃには、ローラ８ｂが回転可能な状態で取り付けられる。以上によって、第２の押付装置８が開閉壁２１に取り付けられた状態になる。どちらの可動ブラケット８ｃも、図示されていないバネによって、読取媒体を第２のスキャナ７の読取面に押し付けるように付勢されおり、開閉壁２１が閉じられた状態では、ローラ８ａ、８ｂが、搬送される読取媒体を第２のスキャナの読取面に押し付けるようになっている。なお、符号８ｆは、回転軸８ｅを、固定ブラケット８ｄに固定するための留金である。
【００５０】
ここで、第２の読取媒体１５は高さが低いため、搬送路の上側半分のみを使って搬送されるので、第１、第２の押付装置６、８においては、上側のローラ８ａのみと接触する。また、第１の読取媒体２の場合は、読取媒体の高さによって、下側のローラ８ｂのみと接触する場合と、上下両方のローラ８ａ、８ｂと接触する場合がある。従って、ローラ８ｂは、比較的重量の重い第２の読取媒体を保持する必要がないので、肉抜き形状となっている。
【００５１】
一方、内側の搬送壁３ｂ側に設置された第１の押付装置６と第２のスキャナ７は、上述の第１のスキャナ５と第２の押付装置８と基本的に同じ構造を有している。そして、開閉壁２１が閉じられた状態では、第１の押付装置６が、読取媒体を第１のスキャナ５の読取面に押し付けるように働き、第２の押付装置８が、読取媒体を第２のスキャナ７の読取面に押し付けるように働く。以上によって、搬送される読取媒体の両面の画像が読み取られる。
【００５２】
ここで、本実施形態の開閉機構２０が設けられた領域には、第１、第２の読取媒体２、１５を挟み込んで搬送する搬送ローラが存在しないようになっている。また、第１搬送ローラ９、第２搬送ローラ１０、及び、直線搬送ローラ１２の互いの間隔は、常に、どれかの搬送ローラが読取媒体を挟み込むように配置されている。
【００５３】
従って、仮に、開閉壁２１が開けられた状態であっても、第１、第２の読取媒体２、１５は、常にどれかの搬送ローラで保持された状態になっている。従って、落下によって、第１、第２の読取媒体２、１５を損傷させる恐れがない。
【００５４】
特に、第１の押付装置６の脇には磁石１７が設置されているので、磁気の影響を受け易い第２の読取媒体１５が、この磁石１７のそばに落下して磁気データが損傷することを防ぐことができる。
【００５５】
また、この開閉壁２１が開けられた状態では、画像読取装置の各機器の電源が入らないように、インターロックが設けられている。
（その他の実施形態）
上述の実施形態では、本発明の開閉機構は、２つのスキャナを設置して、読取媒体の両面の画像データを読み取っているが、１つのスキャナで片面だけを読み取る場合にも適用可能であるし、３つ以上のスキャナを設置する場合にも適用できる。
【００５６】
また、上述の実施形態では、ＭＩＣＲが設置されているが、ＭＩＣＲが設置されない場合にも適用できるし、また、更に、印刷ヘッドを備えて読取媒体に印刷を行う場合にも適用できる。
【００５７】
また、上述の実施形態では、Ｕ字型の搬送路の他に直線搬送路を有するが、Ｕ字型の搬送路だけを有する場合にも適用できる。
【００５８】
また、上述の実施形態では、スキャナがＵ字型の搬送路の２つの曲線部分に挟まれた搬送路に設置されているが、その他の場所に設置される場合においても、同様に適用が可能である。
【００５９】
更に、本発明の実施形態は、上述の実施形態には限られず、その他様々な実施形態が考えられる。
【符号の説明】
【００６０】
１  画像読取装置、２  第１の読取媒体、３  搬送路、３ａ  外側搬送壁、３ｂ  内側搬送壁、３ｃ  搬送空間、４  直線搬送路、４ａ  外側搬送壁、４ｂ  内側搬送壁、４ｃ  搬送空間、５  第１のスキャナ、５ａ  第１にスキャナ本体、５ｂ  カバー開閉壁、５ｃ  シート、５ｄ  ピン、６  第１の押付装置、７  第２のスキャナ、８  第２の押付装置、８ａ  上ローラ、８ｂ  下ローラ、８ｃ  回転ブラケット、８ｄ  固定ブラケット、８ｅ  回転軸、８ｆ  留金、９  第１搬送ローラ、９ａ  駆動ローラ、９ｂ  押さえローラ、１０  第２搬送ローラ、１０ａ  駆動ローラ、１０ｂ  押さえローラ、１１  排出ローラ、１１ａ  駆動ローラ、１１ｂ  押さえローラ、１２  直線搬送ローラ、１２ａ  駆動ローラ、１２ｂ  押さえローラ、１３  第１検出器、１４  第２検出器、１５  第２の読取媒体、１６  ＭＩＣＲ、１７  磁石、１８  第３検出器、２０  開閉機構、２１  開閉壁、２１ａ  回転軸、２１ｂ  軸受、２１ｃ  軸受、２２  レバー、２２ａ  回転軸、２２ｂ  軸受、２２ｃ  爪部、２２ｄ  留金、１０１  画像読取装置、１０２  読取媒体、１０３  搬送路、１０４  スキャナ部。
【図１】
2010035235.tif 000003
【図２】
2010035235.tif 000004
【図３】
2010035235.tif 000005
【図４】
2010035235.tif 000006
【図５】
2010035235.tif 000007
【手続補正書】
【提出日】平成21年12月10日(2009.12.10)
【手続補正１】
【補正対象書類名】特許請求の範囲
【補正対象項目名】全文
【補正方法】変更
【補正の内容】
【特許請求の範囲】
【請求項１】
読取媒体を搬送するもので、前記読取媒体を両側からガイドして起立させる搬送壁を有する搬送路と、
前記読取媒体の画像を読み取る１又は２以上のスキャナと、
前記読取媒体の磁気インクを磁化する磁化手段と、
前記磁化手段により磁化された前記磁気インクを読み取る磁気インク読取手段と、を備え、
前記搬送路の前記スキャナが設置された領域であり、前記磁化手段が設置されていない領域において、前記搬送壁の一部を移動して前記搬送路を開放する開閉機構を備えたことを特徴とする画像読取装置。
【請求項２】
読取媒体を搬送するもので、前記読取媒体を両側からガイドして起立させる搬送壁を有する搬送路と、
前記読取媒体の画像を読み取る１又は２以上のスキャナと、
前記読取媒体の磁気インクを磁化する磁化手段と、
前記磁化手段により磁化された前記磁気インクを読み取る磁気インク読取手段と、
前記搬送路の前記スキャナが設置された領域において、前記搬送壁の一部を移動して前記搬送路を開放する開閉機構と、
前記読取媒体を搬送する複数の搬送ローラと、を備え、
前記搬送ローラの少なくとも１つは、前記開放機構により前記搬送路が開放された状態であっても、前記読取媒体を保持していることを特徴とする画像読取装置。
【請求項３】
前記スキャナが設置された領域の前記搬送壁の高さは、前記読取媒体の高さよりも高く、
前記搬送壁の入り口側の高さは、前記読取媒体の高さよりも低いことを特徴とする請求項１又は２に記載の画像読取装置。
【手続補正２】
【補正対象書類名】明細書
【補正対象項目名】０００８
【補正方法】変更
【補正の内容】
【０００８】
本発明は、下記の特徴を備える。
（適用例１）
読取媒体を搬送するもので、前記読取媒体を両側からガイドして起立させる搬送壁を有する搬送路と、
前記読取媒体の画像を読み取る１又は２以上のスキャナと、
前記読取媒体の磁気インクを磁化する磁化手段と、
前記磁化手段により磁化された前記磁気インクを読み取る磁気インク読取手段と、を備え、
前記搬送路の前記スキャナが設置された領域であり、前記磁化手段が設置されていない領域において、前記搬送壁の一部を移動して前記搬送路を開放する開閉機構を備えたことを特徴とする画像読取装置。
（適用例２）
読取媒体を搬送するもので、前記読取媒体を両側からガイドして起立させる搬送壁を有する搬送路と、
前記読取媒体の画像を読み取る１又は２以上のスキャナと、
前記読取媒体の磁気インクを磁化する磁化手段と、
前記磁化手段により磁化された前記磁気インクを読み取る磁気インク読取手段と、
前記搬送路の前記スキャナが設置された領域において、前記搬送壁の一部を移動して前記搬送路を開放する開閉機構と、
前記読取媒体を搬送する複数の搬送ローラと、を備え、
前記搬送ローラの少なくとも１つは、前記開放機構により前記搬送路が開放された状態であっても、前記読取媒体を保持していることを特徴とする画像読取装置。
（適用例３）
前記スキャナが設置された領域の前記搬送壁の高さは、前記読取媒体の高さよりも高く、
前記搬送壁の入り口側の高さは、前記読取媒体の高さよりも低いことを特徴とする画像読取装置。
本発明の画像読取装置の第１の実施態様は、第1の読取媒体を搬送するＵ字型の搬送路と、搬送路上を搬送される第1の読取媒体の画像を読み取る１又は２以上のスキャナとを備え、搬送路のスキャナが設置された領域において、搬送路を開放する開閉機構を備えたことを特徴とする。